(57)【要約】上サポートポール1、中サポートポール2、下サポートポール3、上関節4、下関節5、スピーディー収納アセンブリ6を備え、上関節4は上サポートポール1と連接する第一上関節頭41と中サポートポール2と連接する第二上関節頭42を接続し、第一上関節頭41には偏心カム部411を設置し、下関節5は中サポートポール2と連接する第一下関節頭51と下サポートポール3と連接する第二下関節頭52を接続し、スピーディー収納アセンブリ6は中サポートポール2内に通して設置する管パーツ61、スライドホイール台63を結合し、管パーツ61の上端に設置し、第一上関節頭41に対応するスライドホイール62、バネ65を結合する上突っ張りピン64、管パーツ61の下端に設置しバネ67を結合し、下サポートポール3内に設置し、一部が第二下関節頭52に突出する下突っ張りピン66を備え、上サポートポール1の動作により中サポートポール2と下サポートポール3を連動し嵌合を離脱させる。
2013540918.tif 000002
【特許請求の範囲】
【請求項１】
上サポートポール、中サポートポール、下サポートポール、上関節、下関節、スピーディー収納パーツを備える、テントフレームポールのスピーディー収納構造であって、
前記上関節は、前記上サポートポールと前記中サポートポールとの間に設置し、前記上サポートポールと連接する第一上関節頭及び前記中サポートポールと連接する第二上関節頭が可動状に接続し構成し、しかも前記第一上関節頭には、偏心カム部を設置し、
前記下関節は、前記中サポートポールと前記下サポートポールとの間に設置し、前記中サポートポールと連接する第一下関節頭及び前記下サポートポールと連接する第二下関節頭が可動状に接続して構成し、
前記スピーディー収納パーツは、管パーツ、スライドホイール、スライドホイール台上突っ張りピン、下突っ張りピンを備え、
前記管パーツは、前記中サポートポール内に通して設置し、一定の剛性を備え、
前記スライドホイールは、スライドホイール台を結合し、前記管パーツの上端に設置し、しかも前記第一上関節頭に対応し、
前記上突っ張りピンは、バネを結合し、前記管パーツの下端に設置し、
前記下突っ張りピンは、バネを結合し、前記下サポートポール内に設置し、一部が前記第二下関節頭に突出することを特徴とするテントフレームポールのスピーディー収納構造。
【請求項２】
前記第二上関節頭内には、前記スライドホイールと前記スライドホイール台とを収容して設置する収容溝を設置することを特徴とする、請求項１に記載のテントフレームポールのスピーディー収納構造。
【請求項３】
前記第一下関節頭内には、前記上突っ張りピンと前記バネとを収容して設置する収容溝を設置することを特徴とする、請求項１に記載のテントフレームポールのスピーディー収納構造。
【請求項４】
前記第二下関節頭内には、前記下突っ張りピンと前記バネとを収容して設置する収容溝を設置することを特徴とする、請求項１に記載のテントフレームポールのスピーディー収納構造。
【発明の詳細な説明】
【技術分野】
【０００１】
本発明はテントに関し、特にテントフレームポールのスピーディー収納構造に関する。
【背景技術】
【０００２】
大型テントは、テント布、及びテント布を支えるサポートフレームを備える。サポートフレームは、配列サポートポールに、トップ部多ポール連接部を可動状に接続し構成する。テントの折り畳み収納の便を図り、折り畳み収納後に占める体積を小さくし、携帯或いは收納に便利にするため、各１組のサポートポールの構造は、おおよそ以下の２種の形式を採用する。
【０００３】
一種は、大管に小管を嵌めた伸縮管構造を採用し、しかも大小管上には、定位構造を設置し、伸縮管展開後の定位に用いる。もう一種では、各１組のサポートポールは、若干のポール部品が相互に可動状に接続して構成する。しかも、各サポートポールの関節位置にはすべて、連接部を設置し、相互に隣接する２個のポール部品の連接に用いる。しかも、連接部上にはさらに、固定構造を設置し、展開した２個のポール部品を固定する。
【０００４】
但し、配列サポートポールは、どの種の構造であろうとも、折り畳み収納時、或いはテント展開時に、各関節に対して個別に操作を行わなければならないため、操作において、非常に不便である。
本発明は、従来のテントフレームポールの収納構造の上記した欠点に鑑みてなされたものである。
【先行技術文献】
【特許文献】
【０００５】
【特許文献１】なし
【発明の概要】
【発明が解決しようとする課題】
【０００６】
本発明が解決しようとする課題は、各サポートポールの固定構造を相互に連動させることで、迅速折り畳み収納の目的を達成することができるテントフレームポールのスピーディー収納構造を提供することである。
【課題を解決するための手段】
【０００７】
上記課題を解決するため、本発明は下記のテントフレームポールのスピーディー収納構造を提供する。
テントフレームポールのスピーディー収納構造は、上サポートポール、中サポートポール、下サポートポール、上関節、下関節、スピーディー収納アセンブリを備え、
該上関節は、該上サポートポールと該中サポートポールとの間に設置し、該上サポートポールと連接する第一上関節頭及び該中サポートポールと連接する第二上関節頭が可動状に接続して組成し、しかも該第一上関節頭には、偏心カム部を設置し、
該下関節は、該中サポートポールと該下サポートポールとの間に設置し、該中サポートポールと連接する第一下関節頭及び該下サポートポールと連接する第二下関節頭が可動状に接続して組成し、
該スピーディー収納アセンブリは、該中サポートポール内に通して設置する管パーツ、スライドホイール台を結合し該管パーツの上端に設置し、しかも該第一上関節頭に対応するスライドホイール、バネを結合し該管パーツの下端に設置する上突っ張りピン、バネを結合し該下サポートポール内に設置し、一部が該第二下関節頭に突出する下突っ張りピンを備え、
該第二上関節頭内には、該スライドホイールと該スライドホイール台とを収容して設置する収容溝を設置し、 
該第一下関節頭内には、該上突っ張りピンと該バネとを収容して設置する収容溝を設置し、
該第二下関節頭内には、該下突っ張りピンと該バネとを収容して設置する収容溝を設置し、
折り畳み収納時に、該上サポートポールを連動することで、該第一上関節頭を下方へと回転させ、該第一上関節頭の偏心カム部は、該管パーツ上端のスライドホイールを押し、該スライドホイールと該管パーツとは、下方へと移動し、
これにより、該管パーツ下端の上突っ張りピンは、該バネを圧縮し下方へと移動させ、該下突っ張りピンは該中サポートポール第一下関節に進入し、該中サポートポールと該下サポートポールは相互嵌合の状態を離脱し、迅速折り畳み収納の目的を達成することができる。
【発明の効果】
【０００８】
本発明のテントフレームポールのスピーディー収納構造は、各サポートポールの固定構造を相互に連動させることで、迅速折り畳み収納の目的を達成することができる。
【図面の簡単な説明】
【０００９】
【図１】本発明の組合せ模式図である。
【図２】本発明の分解模式図である。
【図３Ａ】本発明折り畳み収納動作の模式図である。
【図３Ｂ】本発明折り畳み収納動作の模式図である。
【図３Ｃ】本発明折り畳み収納動作の模式図である。
【図４】本発明折り畳み収納状態の模式図である。
【発明を実施するための形態】
【００１０】
以下に図面を参照しながら本発明を実施するための最良の形態について詳述する。
【００１１】
図１、２に示すように、本発明のテントサポートフレームは、若干組のサポートポール10により組成する。サポートポール10は、３本のサポートポールが可動状に接続して組成し、上サポートポール1、中サポートポール2、下サポートポール3、上関節4、下関節5、スピーディー収納アセンブリ6を備える。
【００１２】
上関節4は、上サポートポール1と中サポートポール2との間に設置し、上サポートポール1と連接する第一上関節頭41及び中サポートポール2と連接する第二上関節頭42により組成する。２個の関節頭41、42はさらに、相互に可動状に接続し、第一上関節頭41には、偏心カム部411を設置し、しかも第二上関節頭42内には、収容溝421を設置する。
【００１３】
下関節5は、中サポートポール2と下サポートポール3との間に設置し、中サポートポール2と連接する第一下関節頭51及び下サポートポール3と連接する第二下関節頭52により組成する。２個の関節頭は同様に、相互に可動状に接続し、第一、二下関節頭51、52内には、それぞれ収容溝511、521を設置する。
【００１４】
スピーディー収納パーツ6は、管パーツ61、スライドホイール62、上突っ張りピン64、下突っ張りピン66を備える。管パーツ61（アルミ管、FRP等を採用）は、中サポートポール2内に通して設置し、一定の剛性を備える。スライドホイール62はスライドホイール台63を結合し、管パーツ61の上端に設置し、第二上関節頭42の収容溝421内に位置し、しかも第一上関節頭41に対応する。上突っ張りピン64はバネ65を結合し、管パーツ61の下端に設置し、第一下関節頭51の収容溝511内に位置する。下突っ張りピン66はバネ67を結合し、下サポートポール3内に設置し、しかも下サポートポール3第二下関節頭52の収容溝521に進入し、一部が第二下関節頭52に突出する。
【００１５】
本発明の展開時には、テントトップ部を上方へと引き動かし、上サポートポール1の第一上関節頭41を連動して上方へと回転させる。同時に、下サポートポール3と中サポートポール2を展開後、下サポートポール3内の下突っ張りピン66は、バネ67の弾性力作用を受け、第二下関節頭52の収容溝521に突出し、突出部分は、中サポートポール2第一下関節51の収容溝511内に進入し、上突っ張りピン64を押す。これにより、第一下関節51と第二下関節頭52とは嵌合して回転不能となり、展開したサポートポールを、堅固に支える。
【００１６】
図３、４、５に示すように、テントの折り畳み収納時には、下方へとテントトップ部を引く。テントトップが下方へと移動すると、上サポートポール1を連動し、これにより第一上関節頭41は下方へと回転する。これにより、第一上関節頭41の偏心カム部411は、管パーツ61上端のスライドホイール62を押し、スライドホイール62と管パーツ61とは、下方へと移動する。これにより、管パーツ61下端の上突っ張りピン64は、バネ65を圧縮し下方へと移動させ、下突っ張りピン66を、中サポートポール2第一下関節51の収容溝511に押し入れ、これにより、第一下関節51と第二下関節頭52とは、嵌合を離脱し、回転可能状に折り畳み収納される(図６参照)。
【００１７】
上記操作により、下方へとテントトップ部を引くというだけの動作により、上サポートポール1を連動でき、同時に、中サポートポール2と下サポートポール3を連動し、相互嵌合の状態を離脱させることができる。これにより、便利に、しかも迅速にテントを折り畳むことができる。各関節位置の固定構造を逐一解除しなければならない現行技術とは異なり、操作は非常に便利でスピーディーである。
【００１８】
上記の本発明名称と内容は、本発明技術内容の説明に用いたのみで、本発明を限定するものではない。本発明の精神に基づく等価応用或いは部品（構造）の転換、置換、数量の増減はすべて、本発明の保護範囲に含むものとする。
【産業上の利用可能性】
【００１９】
本発明は特許の要件である新規性を備え、従来の同類製品に比べ十分な進歩性を有し、実用性が高く、社会のニーズに合致しており、産業上の利用価値は非常に大きい。
【符号の説明】
【００２０】
10：サポートポール
1：上サポートポール
2：上サポートポール
3：下サポートポール
4：上関節          
41：第一上関節頭
411：偏心カム部
42：第二上関節頭
421：収容溝
5：下関節
51：第一下関節頭
52：第二下関節頭
511：収容溝
521：収容溝
6：スピーディー収納アセンブリ
61：管パーツ
62：スライドホイール
63：スライドホイール台
64：上突っ張りピン
65：バネ
66：下突っ張りピン
67：バネ
【図１】
2013540918.tif 000003
【図２】
2013540918.tif 000004
【図３Ａ】
2013540918.tif 000005
【図３Ｂ】
2013540918.tif 000006
【図３Ｃ】
2013540918.tif 000007
【図４】
2013540918.tif 000008
【国際調査報告】
2013540918.tif 000009
2013540918.tif 000010
2013540918.tif 000011
2013540918.tif 000012